(57)【特許請求の範囲】
【請求項１】
商品を載置して展示するための展示台であって、  a) 横断面が多角形の筒状体であって、その下部に、該筒状体の下辺に平行な山折り線及び該山折り線と該筒状体の稜線の交点から両側の該下辺に向けて斜めに延びる谷折り線により該筒状体の内側に折り込まれる折り込み部が設けられた枠体と、  b) 前記枠体内に収容され、前記枠体の中心軸と該枠体の各稜線の間に立設される板状部材から成り、各板状部材の上下いずれか一方の端から上下方向に切り欠き部が設けられた支持体と、  c) 商品を載置する載置板と、該載置板から下方に延び、前記切り欠き部が上側を向く場合には該切り欠き部に収容され、前記切り欠き部が下側を向く場合には前記支持体の上に載置される脚とを有する商品載置体とを備えることを特徴とする展示台。
【請求項２】
前記枠体が長方形の横断面を有し、  前記支持体が、2枚の板をX字状に組み合わせたものであることを特徴とする請求項１に記載の展示台。
【請求項３】
前記脚の長さが前記折り込み部の高さと等しく、且つ、前記板状部材の切り欠き部の高さと等しいか、又は該高さよりも短いことを特徴とする請求項１又は２に記載の展示台。
【発明の詳細な説明】
【技術分野】
【０００１】  本発明は、商品を載置して展示するための、厚紙や段ボール等により作製された展示台に関する。
【背景技術】
【０００２】  店頭においては、新しく発売された商品や販売を強化したい商品等は、厚紙や段ボール等で作製された展示台を用いて、他の類似商品から区別した状態で陳列されることが多い。このような展示台では、他の展示台との位置関係あるいは商品の大きさなどに応じて、高さを変更する必要が生じる。例えば、展示台を奥行き方向に複数配置する場合には手前側よりも奥側の方が高くなるようにする。あるいは、商品の高さが高ければ展示台の高さを低くし、商品の高さが低ければ展示台の高さを高くする。また、キャンディー等のように小さい商品を多数、展示台の上に盛るように展示する場合には、展示台に枠を設けることで商品がこぼれ落ちないようにする必要がある。この場合、枠が高すぎると商品が見え難くなり、枠が低すぎると商品の落下を防ぐという機能を果たすことができない。そのため、商品の量に応じて枠の高さ、言い換えれば展示台の容積を変更する必要がある。【０００３】  特許文献１には、底面が閉鎖され上面が開放された箱形底体の内部に十字状の支持部（中枠）を載置し、その支持部の上部に、底面が開放され上面が閉鎖された箱形蓋体を被せた構造を有する展示台が記載されている。展示される商品は箱形蓋体の上面に載置される。支持部の高さは、箱形底体の側面と箱形蓋体の側面の高さを合わせたものよりも高くなっており、展示台の高さは支持部の高さにより定まる。そして、この文献には、支持部の高さを変えることによって展示台の高さを任意に変化させることができる、と記載されている。【０００４】  特許文献２には、上面が開放された箱体の側面に複数段のロック穴を設けた本体と、側部にストッパが突設された底板を備える展示台が記載されている。複数段のロック穴のうちの1段にストッパを係入させることにより底板を箱体に固定する。この展示台では、箱体の高さは変わらないのに対して、底板の高さはストッパを係入させるロック穴の段により変わるため、容積を変更することができる。
【先行技術文献】
【特許文献】
【０００５】
【特許文献１】特開平10-313992号公報
【特許文献２】特開2004-350821号公報
【発明の概要】
【発明が解決しようとする課題】
【０００６】  特許文献１に記載の展示台には枠が無く、容積を変更することはできない。また、特許文献１には、支持部の高さを変える方法が具体的には記載されていない。その方法として、例えば支持部の上端又は下端を切除することや、高さの異なる支持部に交換することが考えられる。しかし、前者の方法では、一旦支持部の高さを低くすると元の高さに戻すことができない。また、このような切除を行うにはハサミなどの道具が必要となり作業に手間を要するうえ、切除した部分がゴミになってしまう。一方、後者の方法では、高さの異なる支持部を複数用意しなければならない。従って、前者、後者いずれにせよ、展示台の高さを容易に変更することはできない。後者の方法ではさらに、使用しない支持部を展示台とは別の場所に保管しておかなければならないため、そのための余分なスペースが必要になる。【０００７】  特許文献２に記載の展示台では、底板の高さは変更することができるが、展示台全体の高さを変更することはできない。例えば、商品を展示する高さを低くしようとすると枠（底板から箱体の上端までの該箱体の壁）が高くなるため、商品の高さや量によっては商品全体が枠で隠れてしまう。一方、商品を展示する高さを高くしようとすると枠が低く（容積が小さく）なるため、商品が展示台からこぼれ落ちてしまうおそれがある。【０００８】  本発明が解決しようとする課題は、道具を用いることなく容易に何度も高さや容積を変更することができ、余分なスペースを取ることがない展示台を提供することである。
【課題を解決するための手段】
【０００９】  上記課題を解決するために成された本発明に係る展示台は、商品を載置して展示するためのものであって、  a) 横断面が多角形の筒状体であって、その下部に、該筒状体の下辺に平行な山折り線及び該山折り線と該筒状体の稜線の交点から両側の該下辺に向けて斜めに延びる谷折り線により該筒状体の内側に折り込まれる折り込み部が設けられた枠体と、  b) 前記枠体内に収容され、前記枠体の中心軸と該枠体の各稜線の間に立設される板状部材から成り、各板状部材の上下いずれか一方の端から上下方向に切り欠き部が設けられた支持体と、  c) 商品を載置する載置板と、該載置板から下方に延び、前記切り欠き部が上側を向く場合には該切り欠き部に収容され、前記切り欠き部が下側を向く場合には前記支持体の上に載置される脚とを有する商品載置体とを備えることを特徴とする。【００１０】  本願では、特に断る場合を除き、枠体の外面から見て山になるように該枠体の壁を折ることを「山折り」と呼び、その反対を「谷折り」と呼ぶ。【００１１】  本発明に係る展示台では、前記山折り線及び前記谷折り線で枠体の下部を折ることにより、折り込み部を枠体の内側に折り込むことができる。これにより、枠体の高さを低くすることができる。また、枠体の内側に折り込まれた折り込み部を伸ばすことにより、枠体の高さを高くすることができる。【００１２】  また、支持体に切り欠き部が設けられているため、切り欠き部が上側を向くように支持体が枠体に収容されている場合には商品載置体の脚が切り欠き部に収容されるのに対して、切り欠き部が下側を向く場合には該脚が支持体の上に載置される。そのため、前者よりも後者の方が載置板の高さ、すなわち商品が載置される位置が高くなる。【００１３】  従って、折り込み部を折り込んだ時には切り欠き部を上側に向け、折り込み部を伸ばした時には切り欠き部を下側に向けることにより、枠体の高低と商品が載置される高さの高低の双方を合わせて変化させることができる。【００１４】  また、折り込み部を折り込んだ時に切り欠き部を下側に向け、折り込み部を伸ばした時に切り欠き部を上側に向けることにより、あるいは折り込み部はそのままとして切り欠き部の上下の向きを変えることにより、枠体の上端と載置板の高さの差を変更することができる。その際、枠体の上端よりも載置板の方が低い場合には、枠体の上端と載置板の間の枠体側面が商品の転落を防ぐための枠となり、その高さを上記のように変更することができる。すなわち、商品を収容する容積を変更することができる。【００１５】  折り込み部内の枠体の稜線は、折り込み部を伸ばした状態では山折りになっている。また、この稜線の部分は、折り込み部の折り込みの際には、該稜線の両側の谷折りに挟まれた状態で山折りのまま折り込まれ、枠体を床面に載置すると該稜線が該床面に接する。このように折り込んだ状態において、稜線の部分を枠体の内面側から見ると谷の底になっている。従って、支持体の上下のうち幅の広い方、すなわち切り欠き部の反対側が下側を向くように支持体を枠体内に収容しても、その谷に支持体の板状部材が差し込まれるため、折り込み部と支持体が干渉することがない。【００１６】  また、支持体の板状部材が枠体の中心軸と各��線の間に立設されているため、板状部材により枠体が稜線の所で内側から支えられ、それにより枠体の変形が防止される。なお、板状部材は枠体の中心軸から放射状に稜線の数（前記多角形の角の数）だけ立設されるが、この中心軸は厳密に幾何学的な中心軸である必要はなく、その幾何学的な中心軸から多少ずれていてもよい。さらに、これらの板状部材のうちの2枚以上を一体のものとしてもよい。例えば、前記枠体が長方形の横断面を有する場合に、2枚の板をX字状に組み合わせることにより支持体を構成することができる。この場合、2枚の板のみで4枚の板状部材を構成し、それにより4つの稜線を支えることができる。【００１７】  これら載置板の高さ及び枠体の高さの変更の際には、ハサミなどの道具は必要がなく、ゴミが発生することもない。【００１８】  前記脚の長さは前記折り込み部の高さと等しく、且つ、前記板状部材の切り欠き部の高さと等しいか、又は該高さよりも短いことが望ましい。これにより、枠体と載置板は共に、脚の長さ及び折り込み部の高さと同じだけ高さが変更されるため、枠体の上端と商品の縦方向の相対的な位置を保ったまま、商品の高さを変更することができる。
【発明の効果】
【００１９】  本発明に係る展示台によれば、折り込み部を枠体の内側に折り込んだり、折り込まれた折り込み部を伸ばすことにより、枠体の高さを変更することができる。それと共に、支持体の上下方向の向きを変更することにより、載置板の高さ、すなわち商品の高さを変更することができる。さらには、これら枠体の高さと載置板の高さの差を変更することができるため、商品を収容する容積も変更することができる。これら高さ及び容積の変更は、道具を用いる必要がなく、容易に、何回でも行うことができる。また、この展示台では高さの変更により分離される物がないため、ゴミが発生したり、そのような物を別途保管するための余分なスペースを取ることがない。
【図面の簡単な説明】
【００２０】
【図１】本発明に係る展示台の一実施例の斜視図であり、(a)は折り込み部１２を枠体１１内に折り込まずに伸ばした状態、(b)は折り込み部１２を枠体１１内に折り込んだ状態を示す。
【図２】(a)は折り込み部１２を枠体１１内に折り込まずに伸ばした状態、(b)は折り込み部１２を枠体１１内に折り込んだ状態を示す拡大説明図。
【図３】枠体１１の展開図。
【図４】第１支持体板１５１及び第２支持体板１５２の平面図（(a)及び(b)）、並びに支持体１５の斜視図（(c)及び(d)）。
【図５】商品載置体１７の斜視図(a)及び商品載置体１７を支持体１５に載置した状態を示す斜視図（(b), (c)）。
【図６】高状態における本実施例の展示台１０の組み立て図。
【図７】低状態における本実施例の展示台１０の組み立て図。
【図８】商品を収容する容積を大きくした例を示す展示台１０の組み立て図。
【図９】商品を収容する容積を小さくした例を示す展示台１０の組み立て図。
【図１０】上端部１１２の先端をさらに約90°上向きに折り返した状態を示す斜視図。
【図１１】ポップ板２１の斜視図(a)、側面図(b)、及び組み立て図(c)。
【図１２】ポップ板２１を展示台に取り付ける方法を示す斜視図。
【図１３】脚部の無い第２商品載置体１７Ａの例を示す斜視図。
【発明を実施するための形態】
【００２１】  本発明に係る展示台の実施例を、図１〜図１３を用いて説明する。
【実施例】
【００２２】  本実施例の展示台１０は、図１の斜視図に示す枠体１１、枠体１１内に収容された支持体１５（図１では図示せず。図４参照。）及び支持体１５上に載置された商品載置体１７を有する。これら枠体１１、支持体１５及び商品載置体１７は、本実施例では段ボールから成るものを用いたが、厚紙等の他の板材を用いてもよい。【００２３】  まず、図１(a)を用いて、枠体１１の構成を説明する。枠体１１は、4面の側面から成り横断面が長方形である筒状体であり、以下に述べるように折り込み部１２が設けられたものである。枠体１１の上下は共に開放されている。枠体１１の側面の上端部１１２は、内側に折り返されている。これにより、段ボールの断面が枠体１１の上端に露出しないため、見栄えが良くなるうえ、この上端に手などが触れた時に痛みを感じることがない。さらに、側面のうちの1面には、この折り返しの折目の位置に、後述のポップ板２１を差し込むための切り込み１１３が設けられている。【００２４】  枠体１１の高さはh1である。枠体１１の各側面には、枠体１１の下辺から高さ(h1-h2)の位置に山折り線１２１が設けられている。従って、山折り線１２１から枠体１１の上端までの距離はh2である。なお、本実施例では、枠体１１の外側が山になる折り方を「山折り」、枠体１１の外側が谷になる折り方を「谷折り」と呼ぶ。この山折り線１２１よりも下側が折り込み部１２である。また、枠体１１の筒状体が有する4本の稜線１１１と山折り線１２１が交差する4個の点からそれぞれ、各稜線を共有する枠体１１の2つの面の底辺に向けて、谷折り線１２２が設けられている。【００２５】  枠体１１は、以下に述べるように、高さが(a)h1及び(b)h2という2つの状態を取ることができる。以下では、前者を「高状態」、後者を「低状態」と呼ぶ。【００２６】  高状態で展示台１０を使用する場合には、折り込み部１２を枠体１１内に折り込まずに伸ばす（図２(a)）。そして、高状態から低状態に変更する場合には、図２(b)に示すように、山折り線１２１を山折りし、谷折り線１２２を谷折りすると共に、枠体１１の稜線１１１のうち折り込み部１２に属する部分１１１Ａ（図２(a)の太実線部）の山折りを維持した状態で、折り込み部１２を枠体１１内に折り込む（図２(b)では上記部分１１１Ａは太破線部）。これにより、折り込み部１２の高さh1-h2の分だけ枠体１１の高さが低くなる（図１(b)）。なお、図２(b)では、簡略化のために、折り込み部１２は一部のみを示した。一方、低状態から高状態に変更する場合には、枠体１１内に折り込まれていた折り込み部１２を伸ばせばよい。このように、本実施例では、枠体１１は高状態及び低状態という2通りに、何度も高さを変更することができる。また、この高さの変更には何らの工具も必要としない。【００２７】  図３に、枠体１１の展開図を示す。本実施例では、枠体１１の4つの側面のうち3つが横に並ぶように1枚の厚紙を打ち抜くことにより作製した第１型紙１１Ａと、残り1つの面を別の厚紙で作製した第２型紙１１Ｂを用いている。第１型紙１１Ａに設けられた3つの側面のうち、両側部の2面の外側にはそれぞれ糊代１３が設けられている。糊代１３には、山折り線１２１に接する位置にV字形の切り込み１３１が設けられている。これは、折��込み部１２を枠体１１内に折り込む際に、糊代１３が屈曲して折り込みを妨げることを防ぐためのものである。枠体１１は、第１型紙１１Ａに設けられた各側面同士の境界及び側面と糊代１３の境界を90°に折り曲げ、糊代１３と第２型紙１１Ｂを貼り合わせることにより作製される。【００２８】  次に、図４を用いて、支持体１５の構成を説明する。支持体１５は、2枚の板である第１支持体板１５１及び第２支持体板１５２をX字状に組み合わせたものである。第１支持体板１５１及び第２支持体板１５２の最大幅は両者とも同じであり、枠体１１の横断面における長方形の対角線の長さと同じかそれよりもわずかに狭い。また、第１支持体板１５１及び第２支持体板１５２の最大高は両者とも同じであり、枠体１１の低状態での高さh2よりも低い。【００２９】  第１支持体板１５１には下辺の中央から第１支持体板１５１の最大高の半分の高さまでスリット１５１１が設けられている。また、第２支持体板１５２には上端の中央から第２支持体板１５２の最大高の半分の高さまでスリット１５２１が設けられている。第１支持体板１５１とスリット１５２１を、第２支持体板１５２とスリット１５１１を、それぞれ噛み合わせることにより、第１支持体板１５１と第２支持体板１５２がX字状に組み合わされる（図４(c), (d)）。なお、図４(c)及び(d)は互いに上下を反転させた状態を示す図であり、両図における第１支持体板１５１と第２支持体板１５２の相対的な関係は同じである。【００３０】  第１支持体板１５１及び第２支持体板１５２は共に、長方形の板材の上端から所定の高さh3及び所定の幅Wだけ両端部を切り欠いた形状を有する。この切り欠いた部分を切り欠き部１６と呼ぶ。このような切り欠き部１６を設けたことにより、第１支持体板１５１及び第２支持体板１５２は2段の階段状の形状、換言すると凸字状を呈している。ここで、高さh3及び幅Wの値は特に問わないが、後述のように、高さh3の違いは、商品載置体１７が支持体１５に載置される位置の違いに関わる。以下、1段目に相当する部分を「肩部１６１」と呼ぶ。【００３１】  次に、図５を用いて、商品載置体１７の構成を説明する。商品載置体１７は、商品を載置する長方形の載置板１７１の下部に脚部１７２が設けられたものである。載置板１７１が枠体１１内に収容可能なように、載置板１７１の上面における長方形は枠体１１の横断面における長方形よりも長辺、短辺共に短くする。脚部１７２は載置板１７１の長方形の各短辺から下方に延びた板状の形状を有する。なお、脚部１７２は該長方形の長辺から延びたものであってもよいし、短辺及び長辺の双方から延びたものであってもよい。【００３２】  商品載置体１７は、以下のように支持体１５上に載置される。  まず、枠体１１が高状態の場合には、切り欠き部１６が下側を向く、すなわち第１支持体板１５１及び第２支持体板１５２が上下方向に逆向きの「凸字」（逆凸字状）になるように支持体１５を枠体１１内に収容する。そして、第１支持体板１５１及び第２支持体板１５２の上端に商品載置体１７の脚部１７２を載置する（図５(b)）。従って、上記の向きにおける支持体１５の下端から載置板１７１までの高さは、支持体１５の高さと載置板１７１の脚部１７２の高さを合わせ��ものになる。【００３３】  一方、枠体１１が低状態の場合には、切り欠き部１６が上側を向くように、すなわち第１支持体板１５１及び第２支持体板１５２が「凸字」と同じ向き（正凸字状）になるように、支持体１５を配置する（図５(c)）。この時、上記高さh3が脚部１７２の高さよりも高い場合には、載置板１７１の底面が支持体１５の上端に載置される。この場合には支持体１５の下端から載置板１７１までの高さは支持体１５の高さと同じになる。一方、上記高さh3が脚部１７２の高さよりも低い場合には、脚部１７２が肩部１６１に載置される。この場合には、支持体１５の下端から載置板１７１までの高さは、支持体１５の下端から肩部１６１までの高さと脚部１７２の高さの和になる。いずれの場合にも、枠体１１の高状態に対応した場合（図５(b)）よりも載置板１７１の高さは低くなる。【００３４】  以上において構成を説明した枠体１１、支持体１５及び商品載置体１７の3つの要素を組み立てる方法を説明する。まず、高状態においては、枠体１１の内部に、上から支持体１５を逆凸字状に挿入し、支持体１５の上に商品載置体１７を載置する（図６）。一方、低状態においては、枠体１１の内部に、上から支持体１５を正凸字状に挿入し、支持体１５の肩部１６１の上に商品載置体１７を載置する（図７）。ここまでに説明したように、低状態よりも高状態の方が、枠体１１の高さ、及び商品載置体１７の載置板１７１の高さを共に高くすることができ、商品の展示状態をこれら2つの状態の間で変更することができる。【００３５】
低状態においては、折り込み部１２のうち、枠体１１の筒の稜線１１１が折り込まれた部分は、枠体１１の内面から見ると谷になっている。その谷に支持体１５の第１支持体板１５１及び第２支持体板１５２が差し込まれるため、折り込み部１２と支持体１５が干渉することがない。
【００３６】  本実施例の展示台の使用方法は上述のものには限られず、枠体１１が高状態の場合に支持体１５を正凸字状（切り欠き部１６が上側を向くよう）にしてもよい（図８）し、枠体１１が低状態の場合に支持体１５を逆凸字状（切り欠き部１６が下側を向くよう）にしてもよい（図９）。前者の場合には、上述の図６及び図７に示したように使用する場合よりも、載置板１７１から枠体１１の上端までの高さが高くなり、商品を収容する容積が大きくなる。また、後者の場合には、上述の図６〜図８に示したように使用する場合よりも、容積が小さくなるか、あるいは載置板１７１が枠体１１の上端よりも上側に飛び出す。従って、例えば支持体１５の向きをそのままとして枠体１１を高状態から低状態に（図６から図９、若しくは図８から図７の状態に）、又は低状態から高状態に（図９から図６、若しくは図７から図８の状態に）変更することにより、容積を変更することができる。これらの例の場合には、支持体１５を枠体１１から取り出す必要はなく、折り込み部１２を折り込む、又は伸ばすだけでよい。【００３７】  なお、図９に示した状態では、他の場合よりも枠体１１の上端と支持体１５の上端が近くなるため、そのままでは枠体１１の内側に折り返された上端部１１２と載置板１７１が干渉する（当たる）。そのため、上端部１１２の先端をさらに約90°上向きに折り返すことにより、上端部１１２と載置板１７１が干渉することを防いでいる（図１０）。【００３８】  前述の切り込み１１３には、以下に述べるポップ板２１を差し込むことができる。ポップ板２１は、図１１に示すように、長方形の角を丸めた形状の表示板２１１の下部に、該下部よりも幅の狭い舌部２１２が設けられると共に、表示板２１１の一方の面（裏面）に後述の裏当て部材２１３が接着されたものである。表示板２１１の表面には、商品の紹介等を表示する。裏当て部材２１３の両側部には、コの字状に折り曲られて下部が一部欠損して成るコの字部２１３１が設けられている。裏当て部材２１３は、コの字部２１３１を貼り代として、表示板２１１の裏面に接着される。その貼り付けの際、コの字部２１３１の下端と表示板２１１の下端を一致させる。これにより、裏当て部材２１３のコの字部２１３１よりも下の部分が舌部２１２と対向し、両者の間に隙間２１４が形成される。【００３９】  ポップ板２１は、枠体１１の上端に設けられた切り込み１１３に舌部２１２を差し込むことにより、展示台１０に固定される（図１２）。その際、枠体１１の側面のうち切り込み１１３の外側の部分がポップ板２１の隙間２１４に差し込まれるため、ポップ板２１がより安定する。【００４０】  本実施例において、商品載置体１７の脚部１７２の長さを、枠体１１の折り込み部１２の高さh1-h2と同じに設定し、支持体１５の切り欠き部１６の高さh3を、前記脚部１７２と同じ又はそれよりも長く設定する。このようにすると、折り込み部１２を折ったり伸ばしたりすることによる枠体１１の上端の高さの変化量（即ち、折り込み部１２の高さh1-h2）と、支持体１５の上下の向きを変更することによる載置板１７１の高さの変化量（即ち、脚部１７２の長さ）が同じとなる。従って、折り込み部１２を伸ばして支持体１５を逆凸字���にした状態（即ち図６に示す状態）と、折り込み部１２を折り込んで支持体１５を凸字状にした状態（即ち図７に示す状態）において、枠体１１の上端と載置板１７１の高さ方向の相対的な位置が同じとなり、前記相対的な位置を保持したまま載置板１７１の高さを変更することができるようになる。【００４１】  また、本実施例において、商品載置体１７の他に、それとは脚部の長さが異なる商品載置体を用意しておき、それら商品載置体を交換することにより載置板の高さを変更するようにしてもよい。あるいは、商品載置体１７の他に、脚のない商品載置体１７Ａを用意してもよい（図１３）。脚のない商品載置体１７Ａは、載置板１７１Ａの下面が直接、支持体１５上に載置される。載置板１７１Ａには、その両側部が下方に折り曲げられて成る差し込み部１７３が設けられている。商品載置体１７Ａは、差し込み部１７３が支持体１５と枠体１１の側面の間に差し込まれることにより、支持体１５上に固定される。【００４２】  本発明の展示台は上記実施例には限られず、さらに本発明の趣旨の範囲内で適宜変形や追加ができることは言うまでもない。
【符号の説明】
【００４３】１０…展示台１１…枠体１１１…枠体の稜線１１２…枠体の上端部１１３…切り込み１１Ａ…第１型紙１１Ｂ…第２型紙１２…折り込み部１２１…山折り線１２２…谷折り線１３…糊代１５…支持体１５１…第１支持体板１５１１、１５２１…スリット１５２…第２支持体板１６…切り欠き部１６１…肩部１７、１７Ａ…商品載置体１７１、１７１Ａ…載置板１７２…脚部１７３…差し込み部２１…ポップ板２１１…表示板２１２…舌部２１３…裏当て部材２１３１…コの字部２１３２…裏当て部材の下部２１４…隙間
【図１】
0005872488.tif 000002
【図２】
0005872488.tif 000003
【図３】
0005872488.tif 000004
【図４】
0005872488.tif 000005
【図５】
0005872488.tif 000006
【図６】
0005872488.tif 000007
【図７】
0005872488.tif 000008
【図８】
0005872488.tif 000009
【図９】
0005872488.tif 000010
【図１０】
0005872488.tif 000011
【図１１】
0005872488.tif 000012
【図１２】
0005872488.tif 000013
【図１３】
0005872488.tif 000014